(57)【要約】【目的】音源パケットの入力逆転によらず、コピーパケットの送出の揺らぎを十分に低減できることを課題とする。【構成】異なる音源パケットＡ，Ｂの入力に従い、それぞれに所定数ｎ，ｍをコピーして各方路宛に出力する音源パケットのコピー方法であって、入力パケットの音源種別Ａ／Ｂと、予め音源種別の入力順序Ａ，Ｂを規定した情報とを比較し、順序通りの音源パケットＡ，Ｂが入力した場合は、該入力順に各所定数ｎ．ｍをコピーして出力し、順序通りでない音源パケットＢが先に入力した場合は、該入力パケットＢのコピーを待たせて所定時間の間順序通りの音源パケットＡが入力するのを待つと共に、該時間内に順序通りの音源パケットＡが入力した場合は、該入力パケットＡを所定数ｎコピーして出力する。【選択図】    図１
2004260723.tif 000002
【特許請求の範囲】
【請求項１】
異なる音源パケットの入力に従い、それぞれに所定数をコピーして各方路宛に出力する音源パケットのコピー方法であって、入力パケットの音源種別と、予め音源種別の入力順序を規定した情報とを比較し、順序通りの音源パケットが入力した場合は、該入力順に各所定数をコピーして出力し、順序通りでない音源パケットが入力した場合は、該入力パケットのコピーを待たせて所定時間の間順序通りの音源パケットが入力するのを待つと共に、該時間内に順序通りの音源パケットが入力した場合は、該入力パケットを所定数コピーして出力することを特徴とする音源パケットのコピー方法。
【請求項２】
前記所定時間内に順序通りの音源パケットが入力した場合は、該入力パケットの所定数コピー終了後に、前記コピーを待たせた音源パケットのコピーを開始することを特徴とする請求項１記載の音源パケットのコピー方法。
【請求項３】
前記所定時間内に順序通りの音源パケットが入力しない場合は、前記コピーを待たせた音源パケットのコピーを開始することを特徴とする請求項１記載の音源パケットのコピー方法。
【請求項４】
所定時間内に入力した各音源パケットの音源種別に従って音源種別の入力順序を規定することを特徴とする請求項１記載の音源パケットのコピー方法。
【請求項５】
異なる音源パケットの入力に従い、それぞれに所定数をコピーして各方路宛に出力する音源パケットのコピー装置であって、入力パケットを記憶するバッファ手段と、音源パケットの入力順序を規定した情報を記憶する記憶手段と、入力パケットの音源種別と、音源種別の入力順序を規定した情報とを比較し、順序通りの音源パケットが入力した場合は、該入力順に各所定数をコピーして出力し、順序通りでない音源パケットが入力した場合は、該入力パケットのコピーを待たせて所定時間の間順序通りの音源パケットが入力するのを待つと共に、該時間内に順序通りの音源パケットが入力した場合は、該入力パケットを所定数コピーして出力する制御手段とを備えることを特徴とする音源パケットのコピー装置。
【発明の詳細な説明】
【０００１】
【発明の属する技術分野】
本発明は音源パケットのコピー方法及び装置に関し、更に詳しくは、異なる音源パケット（固定長パケットであるＡＴＭ音源セルを含む）の入力に従い、それぞれに所定数をコピーして各方路宛に出力する音源パケットのコピー方法及び装置に関する。
【０００２】
昨今，移動体通信サービスに対する要求は幅広く，高速ディジタルデータ通信、及びパケット通信等の可変速度通信もその要求内容の一つとなっている。高速ディジタルデータ通信、パケット通信等を考慮した場合の交換機としては、定速度データの伝送を念頭においたＳＴＭ通信よりも、高速、可変速データとの親和性の高いＡＴＭ（ａｓｙｎｃｈｒｏｎｏｕｓ  Ｔｒａｎｓｆｅｒ  Ｍｏｄｅ）通信での網構成が適しており、今後、移動体通信に広く適用されて行くと考えられる。また、近年は、ボイスオーバインターネットゲートウェイを使用して音声回線とインターネット回線とを接続し、ＩＰパケットを利用して通話するところの所謂ＩＰ電話も普及しつつある。
【０００３】
【従来の技術】
係る状況の下、例えば、ＡＴＭ網を用いて電話系サービスを実現する場合には、従来からの音声通信の交換を実現する必要があるが、その場合には、リングバックトーン（ＲＢＴ）、ダイヤルトーン（ＤＴ）、ビジートーン（ＢＴ）等の可聴音信号やアナウンス音声等の各種音源信号を同時に複数の発信者に分配する機能の提供が必要になる。この機能を実現するには、入力のＡＴＭセルを必要数分コピーして各方路に分配するコピートランクを用いることが多いが、音声通信のように、リアルタイム性及び定速度性を要求される場合には、もしＡＴＭセルにタイミングの揺らぎがあると、受信側ではセル未受信時雑音となるため、音源セルの揺らぎを極力抑えて送出しなくてはならない。
【０００４】
従来は、電話系ユーザからの発呼接続の度に、ユーザ端末と音源装置との間で仮想パスを張るものが知られている（特許文献１）。しかし、この方法では、音源セルのコピー数が呼の接続数に応じて変化するため、ユーザ端末に送出されるコピーセルにタイミングの揺らぎが生じる。
【０００５】
これを図８の例で具体的に説明する。今、入力のＲＢＴ音源セルＡとアナウンス音源セルＢとをそれぞれの呼接続数ｎ，ｍに応じてコピーし、ＡＴＭスイッチを介して送出するとすると、まずｎ個のＲＢＴコピーセルＡ１〜Ａｎを生成して各方路（ＶＰＩ／ＶＣＩ）宛に送出し、次にｍ個のアナウンスコピーセルＢ１〜Ｂｍを生成して各方路宛に送出する。この状態で、例えばＲＢＴコピーセルＡｎに着目すると、図の始めの２回目までは呼の接続数に変更が無いため、各セルＡｎは所定時間間隔（例えば５．８７５ｍｓ）で送出されるが、３回目については、この区間に呼の接続数に変更があり、コピーセルＡ１〜Ａｎ−１の生成が削除されたため、コピーセルＡｎが前倒しされて送出されることになり、該セルＡｎの送出に揺らぎが生じる。更に、この影響がアナウンスセルＢ１〜Ｂｍの生成タイミングに及ぶ場合もある。
【０００６】
この揺らぎ対策として、常に各種音源セルを方式最大数分コピーし、各コピーセルを各分配先に割り付けると共に、呼が接続されていない方路（パス）については、コピートランクの出口で不要セルを遮断（廃棄）し、出力させないものが知られている。ここで、方式最大数とは、例えば交換機として処理可能な呼数を５０万ＢＨＣ（Ｂｕｓｙ  Ｈｏｕｒｅ  Ｃａｌｌ）とするときに、これをカバーできるＲＢＴセルの方式最大数＝２５６方路、等と決定される。
【０００７】
これを図９の例で具体的に説明する。図において、常時方式最大数分のコピーセルＡ１〜Ａｎ，Ｂ１〜Ｂｍを生成すると共に、パスが貼られていない方路（ＶＰＩ／ＶＣＩ）のセルを廃棄することで、必要なコピーセルを提供できる。しかも、図９の３回目では、接続パス数の変更によりコピ−セルＡ１〜Ａｎ−１の生成が省略されないため、コピーセルＡｎの送出に揺らぎが生じていない。
【０００８】
また、従来は、有音のトーン信号について有音セルのみ送出し、無音のトーン信号について無音セルを生成しないことにより、ＡＴＭスイッチのセルトラフィックを軽減するものが知られている（特許文献２）。
【０００９】
【特許文献１】
特開平１０−２６２０５１号公報（段落「０００７」，図１０）。
【００１０】
【特許文献２】
特開２０００−３３２７８３号公報（要約，図１）。
【００１１】
【発明が解決しようとする課題】
しかし、上記各音源をそれぞれの方式最大数分コピーしておく方法によると、コピートランクへの入力セルが常に同じ順序で入力していれば問題はないが、例えばトーン音源とアナウンス音源とが異なる装置となり、コピートランクへの入力ルートが異なるような場合には、システム内部の揺らぎ等により入力音源セルが逆転する可能性が有り、この逆転が発生すると、常に各音源を方式最大数分コピーしているため、出力としてはコピー数分の逆転となり、分配先では大きな揺らぎとなる問題があった。
【００１２】
これを図１０の例で具体的に説明すると、この図の３回目では、入力音源セルの順序がセルＢ，Ａと逆転したため、まずセルＢが方式最大数ｍ分コピーされて後、セルＡが方式最大数ｎ分コピーされることになり、このため、セルＡｎの３回目の送出はセルＢの方式最大数ｍ個分程度遅れてしまうことになる。
【００１３】
本発明は上記従来技術の問題点に鑑みなされたもので、その目的とする所は、音源パケットの入力逆転によらず、コピーパケットの送出の揺らぎを十分に低減できる音源パケットのコピー方法及び装置を提供することにある。
【００１４】
【課題を解決するための手段】
上記の課題は例えば図１の構成により解決される。即ち、本発明（１）の音源パケットのコピー方法は、異なる音源パケットＡ，Ｂの入力に従い、それぞれに所定数ｎ，ｍをコピーして各方路宛に出力する音源パケットのコピー方法であって、入力パケットの音源種別Ａ／Ｂと、予め音源種別の入力順序Ａ，Ｂを規定した情報とを比較し、順序通りの音源パケットＡ，Ｂが入力した場合は、該入力順に各所定数ｎ．ｍをコピーして出力し、順序通りでない音源パケットＢが入力した場合は、該入力パケットＢのコピーを待たせて所定時間の間順序通りの音源パケットＡが入力するのを待つと共に、該時間内に順序通りの音源パケットＡが入力した場合は、該入力パケットＡを所定数ｎコピーして出力するものである。従って、コピーパケットＡｉ（ｉ＝１〜ｎ）の送出の揺らぎを十分に低減できる。
【００１５】
本発明（２）では、上記本発明（１）において、前記所定時間内に順序通りの音源パケットＡが入力した場合は、該入力パケットＡの所定数ｎコピー終了後に、前記コピーを待たせた音源パケットＢのコピーを開始するものである。従って、コピーパケットＡｉ（ｉ＝１〜ｎ）のみならずコピーパケットＢｊ（ｊ＝１〜ｍ）の送出の揺らぎも十分に低減できる。
【００１６】
本発明（３）では、上記本発明（１）において、前記所定時間内に順序通りの音源パケットＡが入力しない場合は、前記コピーを待たせた音源パケットＢのコピーを開始するものである。従って、音源パケットＡがロスした場合でも、コピーパケットＢｊ（ｊ＝１〜ｍ）の揺らぎを十分に低減して送出できる。
【００１７】
本発明（４）では、上記本発明（１）において、所定時間内に入力した各音源パケットの音源種別Ａ，Ｂに従って音源種別の入力順序Ａ，Ｂを規定するものである。従って、ある時点における各音源パケットの実際の流れ（入力順序）に基づいて音源種別の入力順序を規定できる。
【００１８】
本発明（５）の音源パケットのコピー装置は、異なる音源パケットの入力に従い、それぞれに所定数をコピーして各方路宛に出力する音源パケットのコピー装置であって、入力パケットを記憶するバッファ手段と、音源パケットの入力順序を規定した情報を記憶する記憶手段と、入力パケットの音源種別と、音源種別の入力順序を規定した情報とを比較し、順序通りの音源パケットが入力した場合は、該入力順に各所定数をコピーして出力し、順序通りでない音源パケットが入力した場合は、該入力パケットのコピーを待たせて所定時間の間順序通りの音源パケットが入力するのを待つと共に、該時間内に順序通りの音源パケットが入力した場合は、該入力パケットを所定数コピーして出力する制御手段とを備えるものである。
【００１９】
【発明の実施の形態】
以下、添付図面に従って本発明に好適なる実施の形態を詳細に説明する。なお、全図を通して同一符号は同一又は相当部分を示すものとする。
【００２０】
図２は実施の形態による移動体通信用交換機のブロック図で、ＡＴＭ通信網への適用例を示している。図において、１０はＡＴＭ回線を介して他の中継交換機（ＭＳＣ）や無線基地局（ＢＳＣ）等に接続する加入者交換機（ＭＳＣ）、１２１〜１２４はＡＴＭ回線を終端するＡＴＭ回線対応部（ＡＬＵ）、１１はＡＴＭセルを交換するＡＴＭスイッチ（ＡＳＷ）、１３は例えばリングバックトーン（ＲＢＴ）の音源データを発生するトーン音源（ＴＮＳ）、１４はアナウンス音声の音源データを発生するアナウンス音源（ＡＮＳ）、１５１，１５２は入力の音源データをセル化して出力するセル化装置（ＣＬＡＤ）、２０は入力の音源セルをそれぞれに方式最大数分コピーして各方路宛に出力するコピートランク（ＣＰＹ）、１６は交換機１０の主制御・処理を行う制御部である。
【００２１】
トーン音源１３からのＲＢＴデータ（ＳＴＭデータ）はセル化装置１５１でＡＴＭセルにセル化され、更にＡＴＭスイッチ１１を介してルーティングされ、コピートランク２０に入力する。一方、アナウンス音源１４からのアナウンス音声データ（ＳＴＭデータ）はセル化装置１５２でＡＴＭセルにセル化され、更にＡＴＭスイッチ１１を介してルーティングされ、コピートランク２０に入力する。こに状態では、通常は、各音源セルが所定の順序でコピートランク２０に入力するが、システム内（ＡＴＭスイッチ１１等）の動作の揺らぎにより、到着音源セルの順序が逆転する場合がある。
【００２２】
図３は実施の形態によるコピートランクのブロック図で、図において、２０はコピートランク、２１は入力ポートＩＰからの各種入力音源セルを受信するセル受信ＩＦ（インタフェース）部、２２は入力の音源セルを記憶するセルバッファ、２３は特定の宛先（ＶＰＩ／ＶＣＩ）のコピーセルを廃棄するセルフィルタ、２４はセルフィルタ２３を通過した各コピーセルを出力ポートＯＰに出力するセル送信ＩＦ部、２５は入力の各音源セルをセルバッファ２２に書き込むと共に、各音源セルの入力順序を監視してコピー制御の起動／待ちの制御を行うセル受信制御部、２６は所定時間（例えば１セル時間を２．７μｓとする場合に１ｍｓ程度）を計数するためのタイマ、２７はセル受信制御を実行する上で必要な各種情報を記憶するセル受信制御テーブル、２８はセル受信制御部２５からのコピー起動命令に従って対応する音源セルのコピーセルを生成するセルコピー制御部、２９はセルコピー制御を実行する上で必要な各種情報を記憶するセルコピー制御テーブル、３０はコピートランク２０を上位の制御部１６に接続するためのプロセッサＩＦ部である。
【００２３】
図４は実施の形態によるセル制御テーブルを説明する図で、図４（Ａ）にセル受信制御テーブルの記憶内容を示す。図において、「テーブルアドレス」はこのセル受信制御テーブル２７の各欄（行）の先頭アドレスＡ，Ｂ，Ｃ等を表し、フラグ「ＥＮ」は各欄の制御情報の有効／無効（１／０）を表す。即ち、「ＥＮ」＝１は各欄の制御情報に対応する音源セルがその入力を予定されていることを表す。また「入力セル格納番地」は入力音源セルのセルバッファ２２内における格納アドレスを表し、「コピーセルパス情報先頭格納番地」はセルコピー制御テーブル２９内に格納されているコピーセル宛先情報群（ＶＰＩ／ＶＣＩ）の先頭格納番地ＡＢＣ，ＤＥＦ等を表す。更に「ＳＮ」は各音源セルの入力順序を規定するシーケンス番号１，２，３等を表し、そして、「コピー強制待ちフラグ」は当該入力音源セルのコピーが強制的に待ち／非待ち状態（１／０）にされていることを表す。
【００２４】
図４（Ｂ）はセルコピー制御テーブルの記憶内容を示し、図において、「テーブルアドレス」はこのセルコピー制御テーブル２９の各欄（行）の先頭アドレスＡＢＣ，ＤＥＦ等を表し、「ＶＰＩ／ＶＣＩ」は各コピー音源セルに合成するための宛先情報１１１／１１１，２２２／２２２等を表す。また「コピー制御フラグ」は当該音源セルのコピーを継続するか／終了するか（１／０）のコピー制御情報を表す。
【００２５】
音源セルのコピー数や各宛先情報ＶＰＩ／ＶＣＩは、呼の接続制御等を行う上位の制御部１６により予め設定される。この場合に「ＶＰＩ／ＶＣＩ」＝１１１／１１１，２２２／２２２等を付された各コピーセルは、ＡＴＭスイッチ１１に入力されて該スイッチ１１の各対応する出力ポートに自己ルーティングされるが、「ＶＰＩ／ＶＣＩ」＝０００／０００のコピーセルはセルトランク２０内のセルフィルタ２３で廃棄される。従って、ＡＴＭスイッチ１１内のセルトラフィックを軽減できる。
【００２６】
また、各音源セルの入力順序「ＳＮ」については、システムで既知の場合はこれを制御部１６で設定してもよいが、多数の呼の接続状態の遷移によって音源セルの入力順序もダイナミックに変化するため、既知でない場合も少なくない。この場合は、コピートランク２０に入力する各音源セルを定期的に監視すると共に、所定時間内に入力した各音源セルの音源種別に従って音源セルの入力順序「ＳＮ」を規定してもよい。以下、実施の形態による音源セルのコピー動作を説明する。
【００２７】
図５は実施の形態によるセル受信制御のフローチャートであり、セル受信制御部２５で実行される。まず各音源セルがコピートランク２０に正しい順序で受信（入力）される場合を説明する。ステップＳ１１では音源セルの受信を待ち、やがて受信されると、ステップＳ１６では当該音源セルのヘッダ情報（ＶＰＩ／ＶＣＩ，音源識別フラグ等）に基づいてどの音源セルかのセル種別（Ａ／Ｂ等）を判定する。ステップＳ１７では前記判定したセル種別Ａ／Ｂでセル受信制御テーブル２７を参照し、対応するアドレスＡ／Ｂの制御フラグ「ＥＮ」＝１（有効）か否かを判別する。フラグ「ＥＮ」＝１（セル受信を予定されている）の場合は、ステップＳ１８で当該入力音源セルをセルバッファ２２内の対応する入力セル格納番地に格納する。
【００２８】
ステップＳ１９では当該受信セルの受信順序を調べ、受信順序が正しいか否かを判別する。この判別処理は、図示しないが、別途にセル受信制御テーブル２７のシーケンス番号「ＳＮ」＝１，２，３を管理すると共に、各所定区間の最初に音源セルＡが受信されれば入力順序適正と判別され、またその次に音源セルＢが受信されれば入力順序適正と判別される。以下も同様である。
【００２９】
ステップＳ１９の判別で受信シーケンスが正常の場合は、ステップＳ２０でタイマ２６をリセットする。ステップＳ２１ではセル受信制御テーブル２７の当該受信音源セルに対応するコピーセルパス情報先頭格納番地を選択する。ステップＳ２２ではセルコピー制御部２８にセルコピ−起動命令を送り、ステップＳ１１に戻る。こうして、各音源セルが正しい順序で受信される場合には，セルコピー制御部２８にその都度セルコピ−起動命令が送られ、各命令がセルコピー制御部２８でキューイングされ、よって各方式最大数分のコピーセルが順序通りに出力される。なお、上記ステップＳ１７の判別で「ＥＮ」＝０（無効）の場合は、コピー対象の音源セルではないため、処理はステップＳ１１に戻り、次の音源セルの受信を待つ。
【００３０】
次に、システム内のセル転送揺らぎにより音源セルの受信順序が逆転した場合を説明する。ステップＳ１１で受信された音源セルは、上記同様にしてステップＳ１８でセルバッファ２２内の対応する入力セル格納番地に格納されると共に、ステップＳ１９では今回受信を予定された音源セルではないと判別される。この場合は、ステップＳ２３でセル受信制御テーブル２７中の当該受信音源セルについてのコピー強制待ちフラグ＝１（コピー待ち）にセットすると共に、ステップＳ２４ではタイマ２６を起動し、ステップＳ１１に戻る。
【００３１】
ステップＳ１１では次のセル受信か否かを判別すると共に、セル受信でない場合は更にステップＳ１２でタイマ２６のタイムアウトか否かを判別する。タイムアウトでもない場合は、更にステップＳ１３でそれ以前の音源セルについてのコピー終了か否かを判別し、通常はコピー終了でないのでステップＳ１１の処理に戻る。
【００３２】
こうして、やがて、タイマ２６のタイムアウト前に次の音源セルが受信されると、処理はステップＳ１６〜Ｓ１９に進み、該ステップＳ１９の判別で該音源セルの入力順序が正しい（即ち、受信待ちセル）と判別されると、ステップＳ２０ではタイマ２６をリセットする。ステップＳ２１ではセル受信制御テーブル２７における当該受信音源セルに対応するコピーセルパス情報先頭格納番地を選択する。ステップＳ２２ではセルコピー制御部２８にセルコピ−起動命令を送り、ステップＳ１１に戻る。こうして、タイムアウト前に正しい順番の音源セルが受信された場合は，セルコピー制御部２８に当該セルのコピ−起動命令が送られることで、当該音源セルの起動命令が前回の起動命令の次にキューイングされ、よって、各コピーセルが順序通りに出力される。
【００３３】
次に、コピーを強制的に待たされた音源セルのコピー制御を説明する。ステップＳ１３では前回起動された音源セルのコピー終了を待つと共に、やがて、コピー終了を判別すると、ステップＳ１４ではセル受信制御テーブル２７の「コピー強制待ちフラグ」を検索してコピー強制待ちの音源セルがあるか否かを判別する。ある場合はステップＳ１５で当該コピー強制待ちフラグ＝０（リセット）にし、ステップＳ２０に進む。これによって、上記遅れて到着した音源セルのコピー終了に引き続き、先に到着してコピー待ちとされていた音源セルのコピーが行われる。
【００３４】
次に、所定時間以内に待ち音源セルが受信されなかった場合の処理を説明する。この場合は、ステップＳ１２でタイムアウトを検出したことにより、当該音源セルはロスしたものと判断され、ステップＳ１４ではコピーを強制的に待たされた音源セルありか否かを判別する。ある場合はステップＳ１５に進み、上記同様にして当該コピーを待たされた音源セルのコピーが起動される。システム内におけるセルロスの確率は非常に小さく、また、音声データでは、低頻度の１セルロス程度であれば音質への影響が少ないため、セルロスを許容する動作を行う。以上の動作により、コピートランク２０への入力音源セルに逆転が発生しても、コピーセルの順序を適正に維持できると共に、セル分配先でのコピーセルの揺らぎを少なくできる。
【００３５】
図６は実施の形態によるセルコピー制御のフローチャートであり、セルコピー制御部２８で実行される。ステップＳ３１ではコピー起動されたセルがありか否かを判別し、ある場合には、ステップＳ３２でコピー処理中であることを表すコピー中フラグをセットする。ステップＳ３３ではセルバッファ２２中の対応音源セルのコピーに対してセルコピー制御テーブル２９中の対応パス情報を合成して出力する。ステップＳ３４では当該パス情報に対応するコピー制御フラグ＝１（継続）か否かを判別し、継続の場合はステップＳ３５でセルコピー制御テーブル２９の参照アドレスを更新してステップＳ３３に戻る。また上記ステップＳ３４の判別でコピー制御フラグ＝０（終了）の場合は、ステップＳ３６でコピー中フラグをリセットして、ステップＳ３１に戻る。なお、これにより上記図５のステップＳ１３におけるコピー終了がＹＥＳと判別される。
【００３６】
図７は実施の形態によるセルコピー制御のタイミングチャートである。図において、順序通りの音源セルＡ，Ｂが入力した場合は、該入力順に各方式最大数ｎ．ｍをコピーして出力（但し、一部はセルフィルタ２３で廃棄）し、順序通りでない音源セルＢが先に入力した場合は、該入力セルＢのコピーを待たせて所定時間の間順序通りの音源セルＡが入力するのを待つと共に、該時間内に順序通りの音源セルＡが入力した場合は、該入力セルＡを所定数ｎコピーして出力し、該コピーの終了後に、前記コピーを待たせた音源セルＢのコピーを開始する。従って、コピートランク２０への入力音源セルに逆転が発生しても、そのコピー出力セルの揺らぎを小さく抑えることが可能となる。また、前記所定時間内に順序通りの音源セルＡが入力しない場合は、前記コピーを待たせた音源セルＢのコピーを開始する。
【００３７】
なお、上記実施の形態ではリングバックトーン（ＲＢＴ）信号への適用例を示したが、これに限らない。他のダイヤルトーン（ＤＴ）、ビジートーン（ＢＴ）等の可聴音（トーン）信号にも適用できる。
【００３８】
また、上記実施の形態は本発明のＡＴＭ音源セルへの適用例を述べたが、これに限らない。本発明は、例えばＩＰ電話等に使用される音源パケットのコピー制御にも適用可能である。
【００３９】
また、上記本発明に好適なる実施の形態を述べたが、本発明思想を逸脱しない範囲内で各部の構成、制御、処理及びこれらの組み合わせの様々な変更が行えることは言うまでも無い。
【００４０】
（付記１）  異なる音源パケットの入力に従い、それぞれに所定数をコピーして各方路宛に出力する音源パケットのコピー方法であって、入力パケットの音源種別と、予め音源種別の入力順序を規定した情報とを比較し、順序通りの音源パケットが入力した場合は、該入力順に各所定数をコピーして出力し、順序通りでない音源パケットが入力した場合は、該入力パケットのコピーを待たせて所定時間の間順序通りの音源パケットが入力するのを待つと共に、該時間内に順序通りの音源パケットが入力した場合は、該入力パケットを所定数コピーして出力することを特徴とする音源パケットのコピー方法。
【００４１】
（付記２）  前記所定時間内に順序通りの音源パケットが入力した場合は、該入力パケットの所定数コピー終了後に、前記コピーを待たせた音源パケットのコピーを開始することを特徴とする付記１記載の音源パケットのコピー方法。
【００４２】
（付記３）  前記所定時間内に順序通りの音源パケットが入力しない場合は、前記コピーを待たせた音源パケットのコピーを開始することを特徴とする付記１記載の音源パケットのコピー方法。
【００４３】
（付記４）  所定時間内に入力した各音源パケットの音源種別に従って音源種別の入力順序を規定することを特徴とする付記１記載の音源パケットのコピー方法。
【００４４】
（付記５）  音源パケットはＡＴＭ通信方式による音源セルであることを特徴とする付記１乃至４の何れか１に記載の音源パケットのコピー方法。従って、ＡＴＭ網においても、音源セルの入力順序によらず、コピーセルの送出の揺らぎを十分に低減できる。
【００４５】
（付記６）  異なる音源パケットの入力に従い、それぞれに所定数をコピーして各方路宛に出力する音源パケットのコピー装置であって、入力パケットを記憶するバッファ手段と、音源パケットの入力順序を規定した情報を記憶する記憶手段と、入力パケットの音源種別と、音源種別の入力順序を規定した情報とを比較し、順序通りの音源パケットが入力した場合は、該入力順に各所定数をコピーして出力し、順序通りでない音源パケットが入力した場合は、該入力パケットのコピーを待たせて所定時間の間順序通りの音源パケットが入力するのを待つと共に、該時間内に順序通りの音源パケットが入力した場合は、該入力パケットを所定数コピーして出力する制御手段とを備えることを特徴とする音源パケットのコピー装置。
【００４６】
（付記７）  制御手段は、前記所定時間内に順序通りの音源パケットが入力した場合は、該入力パケットの所定数コピー終了後に、前記コピーを待たせた音源パケットのコピーを開始することを特徴とする付記６記載の音源パケットのコピー装置。
【００４７】
【発明の効果】
以上述べた如く本発明によれば、コピートランクへの入力音源パケットに逆転が発生しても、そのコピー出力の揺らぎを小さく抑えることが可能となるため、音源情報転送の品質向上に寄与するところが極めて大きい。
【図面の簡単な説明】
【図１】本発明の原理を説明する図である。
【図２】実施の形態による移動体通信用交換機のブロック図である。
【図３】実施の形態によるコピートランクのブロック図である。
【図４】実施の形態によるセル制御テーブルを説明する図である。
【図５】実施の形態によるセル受信制御のフローチャートである。
【図６】実施の形態によるセルコピー制御のフローチャートである。
【図７】実施の形態によるセルコピー制御のタイミングチャートである。
【図８】従来技術を説明する図（１）である。
【図９】従来技術を説明する図（２）である。
【図１０】従来技術を説明する図（３）である。
【符号の説明】
１０  加入者交換機（ＭＳＣ）
１１  ＡＴＭスイッチ（ＡＳＷ）
１２１〜１２４  ＡＴＭ回線対応部（ＡＬＵ）
１３  トーン音源（ＴＮＳ）
１４  アナウンス音源（ＡＮＳ）
１５１，１５２  セル化装置（ＣＬＡＤ）
１６  制御部
２０  コピートランク（ＣＰＹ）
２１  セル受信ＩＦ部
２２  セルバッファ
２３  セルフィルタ
２４  セル送信ＩＦ部
２５  セル受信制御部
２６  タイマ
２７  セル受信制御テーブル
３８  セルコピー制御部
２９  セルコピー制御テーブル
３０  プロセッサＩＦ部
【図１】
2004260723.tif 000003
【図２】
2004260723.tif 000004
【図３】
2004260723.tif 000005
【図４】
2004260723.tif 000006
【図５】
2004260723.tif 000007
【図６】
2004260723.tif 000008
【図７】
2004260723.tif 000009
【図８】
2004260723.tif 000010
【図９】
2004260723.tif 000011
【図１０】
2004260723.tif 000012